(57)【要約】【課題】傘型構成を有する航空機を提供する。【解決手段】本発明の傘型構成を有する航空機は、本体と、ベースと、複数の傘アームとを備える。ベースは本体に設置される。各傘アームの一端はベースに装設され、且つ各傘アームはアーム本体を含み、アーム本体の両側には第一固定部材及び第二固定部材がそれぞれ設置される。アーム本体には第二固定部材に接合される傘布が内設される。これら前記傘アームが放射状に展開されると、各傘アームの第二固定部材がその一側に位置される隣接する傘アームの第一固定部材に固定され、内設される傘布が引き出されることによりこれら前記傘アームが傘型構造を形成させる。【選択図】図６
2020015384.tif 000002
【特許請求の範囲】
【請求項１】
本体と、
前記本体に設置されるベースと、
一端が前記ベースに各々装設され、アーム本体と、第一固定部材と、第二固定部材と、傘布とを各々含み、前記第一固定部材及び前記第二固定部材は前記アーム本体の両側にそれぞれ設置され、前記傘布は前記第二固定部材に接合されると共に前記アーム本体に内設される複数の傘アームとを備え、
ここでは、これら前記傘アームが放射状に展開されると、各前記傘アームの前記第二固定部材がその一側に位置される隣接する前記傘アームの前記第一固定部材に固定され、内設される前記傘布が引き出されることによりこれら前記傘アームが前記傘型構造を形成させることを特徴とする傘型構造を有する航空機。
【請求項２】
各前記傘アームの一端は前記ベースに取り外し可能に装設されることを特徴とする請求項１に記載の傘型構造を有する航空機。
【請求項３】
これら前記第一固定部材及びこれら前記第二固定部材係は磁石であることを特徴とする請求項１に記載の傘型構造を有する航空機。
【請求項４】
各前記傘アームはシートを更に備え、且つ前記シートは凸部及び凹部を含み、これら前記傘アームが相互に嵌合されることを特徴とする請求項１に記載の傘型構造を有する航空機。
【請求項５】
前記本体の底部に設置される膨張構造及び複数の膨張アームを更に備え、且つこれら前記膨張アームは前記膨張構造に連結されることを特徴とする請求項１に記載の傘型構造を有する航空機。
【請求項６】
これら前記膨張アームにそれぞれ連結される複数のローターを更に備えることを特徴とする請求項５に記載の傘型構造を有する航空機。
【請求項７】
一端が前記本体の底部に取り外し可能に設置される制御ロッドを更に備え、前記制御ロッドはエアポンプを含み、前記エアポンプは前記膨張構造に連結されると共に前記膨張構造に対して給気を行い、これら前記膨張アームが給気されることにより伸展状態を呈することを特徴とする請求項６に記載の傘型構造を有する航空機。
【請求項８】
前記制御ロッドは前記制御ロッドの一端に設置される固定部を備え、前記制御ロッドの一端は前記固定部を介して前記本体に取り外し可能に装設されることを特徴とする請求項７に記載の傘型構造を有する航空機。
【請求項９】
前記制御ロッドは、前記エアポンプに接続されると共に前記エアポンプを駆動させるためのモーターを更に備えることを特徴とする請求項７に記載の傘型構造を有する航空機。
【請求項１０】
前記制御ロッドは、前記モーターに接続されると共に前記モーターに電力を供給するための電池を更に備えることを特徴とする請求項９に記載の傘型構造を有する航空機。
【請求項１１】
前記制御ロッドは、前記電池に接続されると共に前記電池を入れ切りさせるためのスイッチを更に備えることを特徴とする請求項１０に記載の傘型構造を有する航空機。
【請求項１２】
これら前記傘布はフレキシブルソーラーパネルであり、これら前記傘布により光エネルギーが電気エネルギーに変換されることを特徴とする請求項１に記載の傘型構造を有する航空機。
【請求項１３】
前記傘型構造を有する航空機はモバイル装置により制御されることを特徴とする請求項１に記載の傘型構造を有する航空機。
【請求項１４】
前記ベースは測位信号をモバイル装置に伝送させるロケーターを備えることを特徴とする請求項１に記載の傘型構造を有する航空機。
【請求項１５】
前記ベースは複数のセンサ及び飛行制御器を備え、これら前記センサは前記飛行制御器に接続されることを特徴とする請求項１に記載の傘型構造を有する航空機。
【請求項１６】
これら前記センサとして光センサ、雨センサ、及び風センサを含むことを特徴とする請求項１５に記載の傘型構造を有する航空機。
【請求項１７】
前記本体上に設置されるカメラを更に備え、前記カメラは使用者の位置を追跡し、前記飛行制御器が前記使用者の位置に基づいて前記傘型構造を有する航空機の制御を行って前記使用者を追跡させることを特徴とする請求項１５に記載の傘型構造を有する航空機。
【請求項１８】
前記本体に設置される照明装置を更に備えることを特徴とする請求項１に記載の傘型構造を有する航空機。
【発明の詳細な説明】
【技術分野】
【０００１】
本発明は、航空機に関し、より詳しくは、傘型構造を有する航空機に関する。
【背景技術】
【０００２】
近年、科学技術の進歩に伴い、無人機（Unmanned Aerial Vehicle、UAV）が大衆消費電子製品となっており、人々が無人機を使用してビデオや写真の撮影等を行うようになっている。
【発明の概要】
【発明が解決しようとする課題】
【０００３】
しかしながら、従来の無人機には改善が待たれる多くの問題が存在する。例えば、従来の無人機は通常電力消費量が多いため、バッテリーが短時間で尽きてしまい、使用者が無人機に対して頻繁に充電を行わねばならず、使用が極めて不便であった。
【０００４】
また、従来の無人機は通常体積が大きく、且つ良好な構造設計を欠いている。よって、従来の技術による無人機は空間を広く占領した。
【０００５】
なお、従来の無人機は通常ビデオ及び写真撮影機能のみ提供し、他の追加の付加機能を提供できなかった。このため、従来の技術による無人機はその応用が大きく制限された。
【０００６】
そこで、本発明者は上記の欠点が改善可能と考え、鋭意検討を重ねた結果、合理的設計で上記の課題を効果的に改善する本発明の傘型構造を有する航空機の提案に到った。
【０００７】
本発明は、このような従来の問題に鑑みてなされたものである。上記課題解決のため、本発明は、従来の無人機の各種の問題を解決する傘型構造を有する航空機を提供することを主目的とする。
【課題を解決するための手段】
【０００８】
上記課題を解決するために、本発明のある態様の傘型構造を有する航空機は、本体と、ベースと、複数の傘アームとを備える。ベースは本体の上部に設置される。各傘アームの一端はベースに装設され、且つ各傘アームはアーム本体を含む。アーム本体の両側には第一固定部材及び第二固定部材がそれぞれ設置され、且つアーム本体には第二固定部材に接合される傘布が内設される。これら前記傘アームが放射状に展開されると、各傘アームの第二固定部材がその一側に位置される隣接する傘アームの第一固定部材に固定され、内設される傘布が引き出されることによりこれら前記傘アームが傘型構造を形成させる。
【０００９】
好ましい実施形態では、各傘アームの一端はベースに取り外し可能に装設される。
【００１０】
好ましい実施形態では、これら前記第一固定部材及びこれら前記第二固定部材は磁石である。
【００１１】
好ましい実施形態では、各傘アームはシートを更に備える。シートは凸部及び凹部を含み、これら前記傘アームが相互に嵌合される。
【００１２】
好ましい実施形態では、傘型構造を有する航空機は、本体の底部に設置される膨張構造及び複数の膨張アームを更に備え、且つこれら前記膨張アームは膨張構造に連結される。
【００１３】
好ましい実施形態では、傘型構造を有する航空機は、これら前記膨張アームにそれぞれ連結される複数のローターを更に備える。
【００１４】
好ましい実施形態では、傘型構造を有する航空機は制御ロッドを更に備える。制御ロッドの一端は本体の底部に取り外し可能に設置され、且つエアポンプを含む。エアポンプは膨張構造に連結されると共に膨張構造に対して給気を行い、これら前記膨張アームが給気されることにより伸展状態を呈する。
【００１５】
好ましい実施形態では、制御ロッドは制御ロッドの一端に設置される固定部を備える。制御ロッドの一端は固定部を介して本体に取り外し可能に装設される。
【００１６】
好ましい実施形態では、制御ロッドは、エアポンプに接続されると共にエアポンプを駆動させるためのモーターを更に備える。
【００１７】
好ましい実施形態では、制御ロッドは、モーターに接続されると共にモーターに電力を供給するためのバッテリーを更に備える。
【００１８】
好ましい実施形態では、制御ロッドは、バッテリーに接続されると共にバッテリーを入れ切りさせるためのスイッチを更に備える。
【００１９】
好ましい実施形態では、これら前記傘布はフレキシブルソーラーパネルであり、これら前記傘布により光エネルギーが電気エネルギーに変換される。
【００２０】
好ましい実施形態では、傘型構造を有する航空機はモバイル装置により制御される。
【００２１】
好ましい実施形態では、ベースは測位信号をモバイル装置に伝送させるロケーターを備える。
【００２２】
好ましい実施形態では、ベースは複数のセンサ及び飛行制御器を備え、これら前記センサは飛行制御器に接続される。
【００２３】
好ましい実施形態では、これら前記センサとして光センサ、雨センサ、及び風センサを含む。
【００２４】
好ましい実施形態では、傘型構造を有する航空機は本体に設置されるカメラを更に備える。カメラは使用者の位置を追跡し、飛行制御器が使用者の位置に基づいて航空機の制御を行って使用者を追跡させる。
【００２５】
好ましい実施形態では、傘型構造を有する航空機は本体に設置される照明装置を更に備える。
【発明の効果】
【００２６】
本発明によれば、１つまたは複数の下述の長所を有する。
（１）本発明の一実施形態において、航空機は特殊な膨張構造を有する折り畳み式ローター及び取り外し可能な傘型構造を備える。これにより、航空機が最小化され、空間を大きく占領しなくなる。
（２）本発明の一実施形態において、航空機の傘布はフレキシブルソーラーパネルである。よって、光エネルギーが直接電気エネルギーに変換され、航空機内部の蓄電装置に対する充電が行われる。また、航空機も商用電源に接続されて充電が行われる。よって、使用者が航空機に対して頻繁に充電を行う必要がなくなり、使用が極めて便利になる。
（３）本発明の一実施形態において、航空機はビデオ及び写真撮影が可能であるのみならず、使用者を追跡しながら照明、風除け、雨避け、及び日除け等の機能を提供する。よって、航空機がより多くの付加機能を提供し、且つ応用範囲もより広がる。
（４）本発明の一実施形態において、航空機は光の照射方向、降雨方向、及び風向きを検知させて航空機の位置及び飛行角度の自動調整を行い、航空機が風除け、雨避け、及び日除け等の機能を更に効果的に提供する。
（５）本発明の一実施形態において、航空機はモバイル装置により直接制御される。よって、使用上の弾力性が高まる。
【図面の簡単な説明】
【００２７】
【図１】本発明の第１実施形態による傘型構造を有する航空機を示す概略図である。
【図２】本発明の第１実施形態による傘型構造を有する航空機を示す概略図である。
【図３】本発明の第１実施形態による傘型構造を有する航空機を示す概略図である。
【図４】本発明の第１実施形態による傘型構造を有する航空機を示す概略図である。
【図５】本発明の第１実施形態による傘型構造を有する航空機を示す概略図である。
【図６】本発明の第１実施形態による傘型構造を有する航空機を示す概略図である。
【図７】本発明の第１実施形態による傘型構造を有する航空機を示す概略図である。
【図８】本発明の第１実施形態による傘型構造を有する航空機を示す概略図である。
【図９】本発明の第１実施形態による傘型構造を有する航空機を示す概略図である。
【図１０】本発明の第２実施形態による傘型構造を有する航空機を示す概略図である。
【発明を実施するための形態】
【００２８】
以下、本発明を実施するための最良の形態を、実施例に基づいて詳細に説明する。理解を容易にするため、図面中の各部材のサイズ及び比率は誇大に、或いは縮小して表現する。以下の描写及び／或いは特許出願範囲において、部材が他の部材に「連結」または「接合」されるとある場合、前記他の部材に直接連結または接合されるか、または仲介する部材が存在する。部材が他の部材に「直接連結」または「直接接合」されるとある場合、仲介する部材は存在せず、部材または層の間の関係を描写する他の用語も同様に解釈される。理解を促すため、下述の実施形態においては同じ部材には同じ符号を以って標示し、説明する。
【００２９】
＜第１実施形態＞
図１乃至図９は本発明の第１実施形態による傘型構造を有する航空機を示す概略図である。傘型構造を有する航空機１は、本体１１と、ベース１２と、複数のローター１３とを備える。
【００３０】
ベース１２は本体１１の上部の第一収容溝１１１に内設される。
【００３１】
これら前記ローター１３は本体１１の底部に設置される。
【００３２】
この際、航空機１は折り畳まれた状態になる。折り畳まれた状態では、航空機１の体積が最小化される。
【００３３】
図２を参照し、航空機１はこの際に展開状態を呈する。展開状態では、ベース１２が第一収容溝１１１から離間すると共に本体１１に突出される。ベース１２は、上部溝１２１と、下部溝１２２と、ベース１２の内部空間に設置されるスライド１２３とを備える。本体１１は、本体１１の底部に設置され、且つこれら前記ローター１３にそれぞれ連結される複数の膨張アーム１１５を含む。展開状態では、これら前記膨張アーム１１５は本体１１から離間する方向に延伸される。
【００３４】
航空機１は複数の傘アーム１４を更に備え、各傘アーム１４の一端はベース１２に取り外し可能に装設される。図３Ａに示されるように、傘アーム１４はアーム本体１４１及びシート１４２を含む。アーム本体１４１の両側には第一固定部材１４１１及び第二固定部材１４１２がそれぞれ設置される。シート１４２は、凸部１４２１と、凹部１４２２と、中間孔１４２３とを具備し、複数の傘アーム１４が相互に嵌合される。一実施形態において、第一固定部材１４１１及び第二固定部材１４１２は磁石であり、且つ第一固定部材１４１１の極性は第二固定部材１４１２とは反対になる。なお、アーム本体１４１には第二固定部材１４１２に接合される傘布１４３が内設される（図３Ｂ参照）。
【００３５】
各傘アーム１４のシート１４２は上部溝１２１からベース１２の内部空間に進入し、且つ各傘アーム１４のシート１４２の中間孔１４２３にはスライド１２３が貫通させ、これら前記傘アーム１４がベース１２の内部空間に折り畳まれる（図４参照）。
【００３６】
図５に示されるように、続いて、最底部に位置される傘アーム１４が、そのシート１４２の凸部１４２１がその上方に位置される傘アーム１４の凹部１４２２に嵌入されるまで下部溝１２２に沿って回転を行う。また、最底部に位置される傘アーム１４のアーム本体１４１の第一固定部材１４１１はその上方に位置される傘アーム１４のアーム本体１４１の第二固定部材１４１２に吸着させ、且つ同時に第二固定部材１４１２に接合される傘布１４３が引き出される。図６に示されるように、上述の構造により、これら前記傘アーム１４が傘型構造Ｕを形成させる。
【００３７】
図７に示されるように、制御ロッド１５は、ロッド１５１と、スイッチ１５２と、バッテリー１５３と、モーター１５４と、エアポンプ１５５と、固定部１５６とを備える。エアポンプ１５５及び固定部１５６は共にロッド１５１の一端に設置され、バッテリー１５３及びモーター１５４はロッド１５１に内設され、スイッチ１５２はロッド１５１の表面に設置される。スイッチ１５２はバッテリー１５３に接続されてバッテリー１５３の入れ切りを行い、バッテリー１５３はモーター１５４に接続されてモーター１５４に電力を供給し、モーター１５４はエアポンプ１５５に接続されてエアポンプ１５５を駆動させる。
【００３８】
エアポンプ１５５はタービン１５５１及び吸入孔１５５２を備える。タービン１５５１はモーター１５４のシャフト１５４１に連結され、モーター１５４が起動すると、タービン１５５１が吸入孔１５５２から空気を吸入させる。
【００３９】
図８Ａ及び図８Ｂに示されるように、本体１１の底部には、第二収容溝１１２と、膨張構造１１３と、固定構造１１４と、前述のこれら前記膨張アーム１１５とを更に備える。
【００４０】
膨張構造１１３はベース１２及びこれら前記膨張アーム１１５に連結され、これら前記膨張アーム１１５はこれら前記ローター１３にそれぞれ連結される。
【００４１】
使用者が制御ロッド１５の一端を第二収容溝１１２中に挿入させ、且つ制御ロッド１５を回転させることにより、制御ロッド１５の固定部１５６が固定構造１１４に固定され、同時に制御ロッド１５のエアポンプ１５５が膨張構造１１３に連結される。同様に、使用者が反対方向に制御ロッド１５を回転させると制御ロッド１５を本体１１から取り外せる。
【００４２】
図９に示されるように、使用者がスイッチ１５２を押してモーター１５４を起動させると、モーター１５４によりエアポンプ１５５が駆動され、エアポンプ１５５により空気が膨張構造１１３中に注入され、これら前記膨張アーム１１５に対する給気が行われ、これら前記膨張アーム１１５が伸展状態を呈する。同時に、ベース１２も駆動されて第一収容溝１１１から離間し、且つ本体１１に突出される。次いで、使用者が前述の工程を実行してこれら前記傘アーム１４を装設させる。最後に、制御ロッド１５が取り外された後、使用者が航空機１を使用可能になる。
【００４３】
このほか、航空機１は飛行制御器と、カメラと、照明装置と、蓄電装置（図示省略）とを更に備える。飛行制御器はベース１２に内設される。カメラは本体１１に設置され、使用者の位置を追跡し、飛行制御器が使用者の位置に基づいてこれら前記ローター１３の制御を行って使用者を追跡させる。照明装置は本体１１に設置されて光源とされる。一実施形態では、これら前記傘布１４３はフレキシブルソーラーパネルであり、蓄電装置に対する充電を行い、航空機１に別途電力を供給させる。また、使用者はモバイル装置（例えば、スマートフォン及びタブレット端末等）またはリモコンを使用して航空機１を直接制御可能であり、航空機１の各機能を使用できる。
【００４４】
上述の構造により、使用者が航空機１を使用する際に、使用者は制御ロッド１５により航空機１を展開させ、且つこれら前記傘アーム１４をベース１２に装設させれば即使用可能になり、使用が極めて便利である。なお、使用者が航空機１を使用しない場合、使用者はベース１２からこれら前記傘アーム１４を取り外し、且つ航空機１を折り畳んで折り畳まれた状態に戻すと体積が最小化される。よって、空間を広く占領しなくなる。
【００４５】
当然ながら、上述は例示にすぎず、航空機１の構造及び各部材の機能は実際の需要に応じて変更可能であり、本発明にその制限はない。
【００４６】
ちなみに、従来の技術による無人機は通常体積が大きく、且つ良好な構造設計を欠いており、ゆえに従来の技術による無人機は空間を広く占拠してしまう。反対に、本発明の実施形態に係る航空機は特殊な膨張構造を有する折り畳み式ローター及び取り外し可能な傘型構造を備えるため、航空機が空間を広く占拠しなくなる。
【００４７】
また、従来の無人機は通常電力消費量が多く、よってバッテリーが短時間で消耗してしまい、使用者が無人機に対して頻繁に充電を行わねばならず、使用が極めて不便であった。反対に、本発明の実施形態に係る航空機の傘布はフレキシブルソーラーパネルであり、よって光エネルギーが電気エネルギーに直接変換され、航空機内部の蓄電装置に対して充電が行われる。また、航空機は商用電源に接続して充電を行うことも可能である。よって、使用者は航空機に対して頻繁に充電を行う必要がなく、使用が極めて便利になる。
【００４８】
これ以外にも、本発明の実施形態に係る航空機はモバイル装置を使用して直接制御可能であり、よって使用上の弾力性が高まる。上述のように、本発明は進歩性を有し、特許要件を満たす。
【００４９】
＜第２実施形態＞
図１０は本発明の第２実施形態による傘型構造を有する航空機を示す概略図である。傘型構造を有する航空機１は、本体１１と、ベース１２と、複数のローター１３とを備える。
【００５０】
傘型構造を有する航空機１の上述の部材及びその詳細な構造は前述の実施形態に相似し、よって更なる詳述は省く。前述の実施形態との違いは、航空機１がロケーターＳ１と、光センサＳ２と、雨センサＳ３と、風センサＳ４とを更に備える点である。
【００５１】
ロケーターＳ１はベース１２に設置されると共に飛行制御器に接続される。ロケーターＳ１は測位信号を使用者のモバイル装置に伝送させ、使用者が航空機１の現在地を知ることを可能にする。
【００５２】
光センサＳ２、雨センサＳ３、及び風センサＳ４はベース１２に設置されると共に飛行制御器に接続される。光センサＳ２、雨センサＳ３、及び風センサＳ４は光の照射方向、降雨方向、及び風向きをそれぞれ検知させ、航空機１の位置及び飛行角度の自動調整を行い、航空機１が風除け、雨避け、及び日除け等の機能をより効果的に提供可能になる。
【００５３】
当然ながら、上述は例示にすぎず、航空機１の構造及び各部材の機能は実際の需要に応じて変更可能であり、本発明にその制限はない。
【００５４】
ちなみに、従来の無人機は通常ビデオ及び写真撮影機能のみが提供され、他の追加の付加機能は提供できず、よって従来の技術による無人機は応用が大きく制限されている。反対に、本発明の実施形態に係る航空機はビデオ及び写真撮影機能のみならず、使用者の追跡機能、光の照射方向、降雨方向、及び風向きに基づいて航空機の位置及び飛行角度を自動調整させることで航空機が風除け、雨避け、及び日除けを行う等の機能が更に効果的に提供される。よって、航空機がより多くの付加機能を提供し、且つ応用範囲が更に広がる。
【００５５】
総合すると、本発明の実施形態に係る航空機は特殊な膨張構造を有する折り畳み式ローター及び取り外し可能な傘型構造を備え、航空機が最小化され、空間を広く占領しなくなる。
【００５６】
なお、本発明の実施形態に係る航空機の傘布はフレキシブルソーラーパネルであり、光エネルギーが電気エネルギーに直接変換され、航空機内部の蓄電装置に対する充電が行われる。また、航空機は商用電源に接続させて充電可能である。このため、使用者が航空機に対して頻繁に充電を行う必要がなく、使用が極めて便利になる。
【００５７】
また、本発明の実施形態に係る航空機はビデオ及び写真撮影機能のみならず、使用者を追跡して照明、風除け、雨避け、及び日除け等の機能を提供する。ゆえに、航空機がより多くの付加機能を提供し、且つ応用範囲がより広がる。
【００５８】
また、本発明の実施形態に係る航空機は光の照射方向、降雨方向、及び風向きの検知を行い、航空機の位置及び飛行角度を自動調整可能であり、航空機が風除け、雨避け、及び日除け等の機能を更に効果的に提供する。
【００５９】
さらに、本発明の実施形態に係る航空機はモバイル装置を使用して直接制御可能であり、使用上の弾力性が増す。
【００６０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００６１】
１  傘型構造を有する航空機
１１  本体
１１１  第一収容溝
１１２  第二収容溝
１１３  膨張構造
１１４  固定構造
１１５  膨張アーム
１２  ベース
１２１  上部溝
１２２  下部溝
１２３  スライド
１３  ローター
１４  傘アーム
１４１  アーム本体
１４１１  第一固定部材
１４１２  第二固定部材
１４２  シート
１４２１  凸部
１４２２  凹部
１４２３  中間孔
１４３  傘布
１５  制御ロッド
１５１  ロッド
１５２  スイッチ
１５３  電池
１５４  モーター
１５４１  シャフト
１５５  エアポンプ
１５５１  タービン
１５５２  吸入孔
１５６  固定部
Ｕ  傘型構造
Ｓ１  ロケーター
Ｓ２  光センサ
Ｓ３  雨センサ
Ｓ４  風センサ
【図１】
2020015384.tif 000003
【図２】
2020015384.tif 000004
【図３Ａ】
2020015384.tif 000005
【図３Ｂ】
2020015384.tif 000006
【図４】
2020015384.tif 000007
【図５】
2020015384.tif 000008
【図６】
2020015384.tif 000009
【図７】
2020015384.tif 000010
【図８Ａ】
2020015384.tif 000011
【図８Ｂ】
2020015384.tif 000012
【図９】
2020015384.tif 000013
【図１０】
2020015384.tif 000014
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
本体と、
前記本体に設置されるベースと、
一端が前記ベースに各々装設され、アーム本体と、第一固定部材と、第二固定部材と、傘布とを各々含み、前記第一固定部材及び前記第二固定部材は前記アーム本体の両側にそれぞれ設置され、前記傘布は前記第二固定部材に接合されると共に前記アーム本体に内設される複数の傘アームとを備え、
ここでは、これら前記傘アームが放射状に展開されると、各前記傘アームの前記第二固定部材がその一側に位置される隣接する前記傘アームの前記第一固定部材に吸着され、内設される前記傘布が引き出されることによりこれら前記傘アームが傘型構造を形成させることを特徴とする傘型構造を有する航空機。
【請求項２】
各前記傘アームの一端は前記ベースに取り外し可能に装設されることを特徴とする請求項１に記載の傘型構造を有する航空機。
【請求項３】
これら前記第一固定部材及びこれら前記第二固定部材は磁石であることを特徴とする請求項１に記載の傘型構造を有する航空機。
【請求項４】
各前記傘アームはシートを更に備え、且つ前記シートは凸部及び凹部を含み、これら前記傘アームが相互に嵌合されることを特徴とする請求項１に記載の傘型構造を有する航空機。
【請求項５】
前記本体の底部に設置される膨張構造及び複数の膨張アームを更に備え、且つこれら前記膨張アームは前記膨張構造に連結されることを特徴とする請求項１に記載の傘型構造を有する航空機。
【請求項６】
これら前記膨張アームにそれぞれ連結される複数のローターを更に備えることを特徴とする請求項５に記載の傘型構造を有する航空機。
【請求項７】
一端が前記本体の底部に取り外し可能に設置される制御ロッドを更に備え、前記制御ロッドはエアポンプを含み、前記エアポンプは前記膨張構造に連結されると共に前記膨張構造に対して給気を行い、これら前記膨張アームが給気されることにより伸展状態を呈することを特徴とする請求項６に記載の傘型構造を有する航空機。
【請求項８】
前記制御ロッドは前記制御ロッドの一端に設置される固定部を備え、前記制御ロッドの一端は前記固定部を介して前記本体に取り外し可能に装設されることを特徴とする請求項７に記載の傘型構造を有する航空機。
【請求項９】
前記制御ロッドは、前記エアポンプに接続されると共に前記エアポンプを駆動させるためのモーターを更に備えることを特徴とする請求項７に記載の傘型構造を有する航空機。
【請求項１０】
前記制御ロッドは、前記モーターに接続されると共に前記モーターに電力を供給するための電池を更に備えることを特徴とする請求項９に記載の傘型構造を有する航空機。
【請求項１１】
前記制御ロッドは、前記電池に接続されると共に前記電池を入れ切りさせるためのスイッチを更に備えることを特徴とする請求項１０に記載の傘型構造を有する航空機。
【請求項１２】
これら前記傘布はフレキシブルソーラーパネルであり、これら前記傘布により光エネルギーが電気エネルギーに変換されることを特徴とする請求項１に記載の傘型構造を有する航空機。
【請求項１３】
前記傘型構造を有する航空機はモバイル装置により制御されることを特徴とする請求項１に記載の傘型構造を有する航空機。
【請求項１４】
前記ベースは測位信号をモバイル装置に伝送させるロケーターを備えることを特徴とする請求項１に記載の傘型構造を有する航空機。
【請求項１５】
前記ベースは複数のセンサ及び飛行制御器を備え、これら前記センサは前記飛行制御器に接続されることを特徴とする請求項１に記載の傘型構造を有する航空機。
【請求項１６】
これら前記センサとして光センサ、雨センサ、及び風センサを含むことを特徴とする請求項１５に記載の傘型構造を有する航空機。
【請求項１７】
前記本体上に設置されるカメラを更に備え、前記カメラは使用者の位置を追跡し、前記飛行制御器が前記使用者の位置に基づいて前記傘型構造を有する航空機の制御を行って前記使用者を追跡させることを特徴とする請求項１５に記載の傘型構造を有する航空機。
【請求項１８】
前記本体に設置される照明装置を更に備えることを特徴とする請求項１に記載の傘型構造を有する航空機。
【手続補正２】
【補正対象書類名】図面
【補正対象項目名】図５
【補正方法】変更
【補正の内容】
【図５】
2020015384.tif 000015